(57)【要約】      （修正有）【課題】造花形成用リボンで形成された造花による花束の結束部における包装の見栄え程度を比較的均一にすることを可能とする包装セットを提供する。【解決手段】包装セットは、造花形成用リボンを用いて形成された造花１６と、板片１８と、輪ゴム２０と、両面接着テープ片２２とを含む。造花は、造花形成用リボンの両ストリップを紐に対してこれらの長手方向へ相対移動させて両ストリップの複数の一部分をループ状に変形させてなりかつループ状に変形された両ストリップの他端部間から突出する紐をその一部２８ｃを残して切断してなる。板片は開放端を有するスリットを有し、紐の一部がスリットに通されている。輪ゴムは、板片のスリットにその開放端から通されている。また、両面接着テープ片は、板片に紐の一部と輪ゴムの一部とが覆われるように接着されている。【選択図】図５
0003208249.tif 000002
【実用新案登録請求の範囲】
【請求項１】
花束の結束部における包装に供される包装セットを形成するための複数の部品を含む包装キットであって、
前記複数の部品は、一対の相対するストリップと両ストリップ間に配置された少なくとも１つの紐とを有し、両ストリップと前記紐とがこれらの一端部で互いに接合され、また、前記両ストリップが、前記紐の両側において、両ストリップの長手方向へ互いに間隔をおかれた複数の線の各線上の少なくとも２箇所で互いに接合されてなる造花形成用リボンと、
前記造花形成用リボンの両ストリップを前記紐に対してこれらの長手方向へ相対移動させて両ストリップの一端部とこれに隣接する線との間の両ストリップの一部分と前記線と線との間の両ストリップの一部分とをループ状に変形させかつ前記ループ状に変形された両ストリップの他端部間から突出する前記紐をその一部を残して切断してなる造花の前記紐の一部が通される開放端を有するスリットを備える板片と、
前記板片のスリットにその開放端から通される輪ゴムと、
前記板片に前記紐の一部と前記輪ゴムの一部とが覆われるように接着される両面接着テープ片とからなる、包装キット。
【請求項２】
花束の結束部における包装に供される包装セットであって、
造花形成用リボンを用いて形成された造花であって前記造花形成用リボンが一対の相対するストリップと両ストリップ間に配置された少なくとも１つの紐とを有し、両ストリップと前記紐とがこれらの一端部で互いに接合され、また、両ストリップが、前記紐の両側において、両ストリップの長手方向へ互いに間隔をおかれた複数の線の各線上の少なくとも２箇所で互いに接合されてなり、前記造花が前記造花形成用リボンの両ストリップを前記紐に対してこれらの長手方向へ相対移動させて前記両ストリップの一端部とこれに隣接する線との間の両ストリップの一部分と前記線と線との間の両ストリップの一部分とをループ状に変形させかつ前記ループ状に変形された両ストリップの他端部間から突出する前記紐をその一部を残して切断してなる造花と、
開放端を有するスリットを備える板片であって前記紐の一部が前記スリットに通された板片と、
前記板片のスリットにその開放端から通された輪ゴムと、
前記板片に前記紐の一部と前記輪ゴムの一部とが覆われるように接着された両面接着テープ片とを含む、包装セット。
【考案の詳細な説明】
【技術分野】
【０００１】
本考案は、花束の結束部に取り付けられこれを包装する包装キット及び包装セットに関する。
【背景技術】
【０００２】
従来、花束をその結束部において包装する手段として、造花形成用リボンで形成された造花が用いられている。
【０００３】
造花形成用リボンは、一対の相対するストリップと、両ストリップ間に配置された一対の紐とを有する。両ストリップと両紐とはこれらの一端部で互いに接合され、また、両ストリップは、両紐の両側において、両ストリップの長手方向へ互いに間隔をおかれた複数の線の各線上の少なくとも２箇所で互いに接合されている。造花は、両ストリップを両紐に対してこれらの長手方向に相対移動させることにより形成される。両紐に対する両ストリップの相対移動に伴って両ストリップの一端部と他端部とが互いに近づき、両ストリップの一端部と前記線との間の両ストリップの一部分と、前記線と線との間の両ストリップの一部分とがそれぞれループ状に変形する。ループ状の変形部分が造花の花弁をなす。また、造花の形成に伴って両紐が両ストリップの他端部間から伸び出る。造花は、花束の結束部の周囲を両紐で取り囲み、両紐を互いに結び合わせて結束部を締め付けることにより花束の結束部に取り付けられ、花束の包装に供される。
【０００４】
ところで、前記造花形成用リボンにより形成された造花を用いた花束の結束部における包装の見栄えの程度が、包装を行う者の技量に大きく左右されるという問題がある。
【先行技術文献】
【特許文献】
【０００５】
【特許文献１】特開平８−４９１０５号公報
【考案の概要】
【考案が解決しようとする課題】
【０００６】
本考案の目的は、造花形成用リボンを用いて形成された造花による花束の結束部における包装の見栄えの程度を比較的均一にすることを可能とする包装キット及び包装セットを提供することにある。
【課題を解決するための手段】
【０００７】
本考案は、花束の結束部における包装に供される包装セットを形成するための複数の部品を含む包装キットに係る。包装キットを構成する前記複数の部品は、造花形成用リボンと、板片と、輪ゴムと、両面接着テープ片とからなる。前記造花形成用リボンは、一対の相対するストリップと両ストリップ間に配置された少なくとも１つの紐とを有し、両ストリップと前記紐とがこれらの一端部で互いに接合され、また、前記両ストリップが、前記紐の両側において、両ストリップの長手方向へ互いに間隔をおかれた複数の線の各線上の少なくとも２箇所で互いに接合されている。前記板片は、前記造花形成用リボンの両ストリップを前記紐に対してこれらの長手方向へ相対移動させて前記両ストリップの一端部とこれに隣接する線との間のストリップの一部分と前記線と線との間のストリップの一部分とをループ状に変形させてなりかつ前記ループ状に変形された両ストリップの他端部間から突出する前記紐をその一部を残して切断してなる造花の前記紐の一部が通される開放端を有するスリットを備える。前記輪ゴムは、前記板片のスリットにその開放端から通される。また、前記両面接着テープ片は、前記板片に前記紐の一部と前記輪ゴムの一部とが覆われるように接着される。
【０００８】
また、本考案は、花束の結束部における包装に供される包装セットに係る。包装セットは、造花形成用リボンを用いて形成された造花と板片と、輪ゴムと、両面接着テープ片とを含む。前記造花形成用リボンは一対の相対するストリップと両ストリップ間に配置された少なくとも１つの紐とを有し、両ストリップと前記紐とがこれらの一端部で互いに接合され、また、前記両ストリップが、前記紐の両側において、両ストリップの長手方向へ互いに間隔をおかれた複数の線の各線上の少なくとも２箇所で互いに接合されてなり、前記造花は前記造花形成用リボンの両ストリップを前記紐に対してこれらの長手方向へ相対移動させて前記両ストリップの一端部とこれに隣接する線との間の両ストリップの一部分と前記線と線との間の両ストリップの一部分とをループ状に変形させてなりかつ前記ループ状に変形された両ストリップの他端部間から突出する前記紐をその一部を残して切断してなる。前記片は開放端を有するスリットを有し、前記紐の一部が前記スリットに通されている。前記輪ゴムは、前記板片のスリットにその開放端から通されている。また、前記両面接着テープ片は、前記板片に前記紐の一部と前記輪ゴムの一部とが覆われるように接着されている。
【０００９】
本考案によれば、前記包装キットの複数の部品を用いて前記包装セットを得ることができる。すなわち、前記造花形成用リボンを造花に形成し、該造花の両紐の切断後の一部を前記板片のスリットに通し、また、前記板片のスリットにその開放端から輪ゴムを通し、さらに前記板片に前記紐の一部と前記輪ゴムの一部とが覆われるように前記両面接着テープを接着することにより、前記包装セットを得ることができる。前記包装セットは、その輪ゴムを介して、花束の結束部すなわち前記花束を構成する束ねられた複数の生花の茎の一部に前記造花を取り付けることができ、これにより、前記花束をその結束部において包装することができる。また、前記両面テープ片を介して前記花束の結束部の所望の位置に前記造花を固定することができる。したがって、これによれば、包装を行う者の技量等に依らない比較的均一な包装が可能である。
【図面の簡単な説明】
【００１０】
【図１】包装セットにより結束部において包装された花束の斜視図である。
【図２】包装キットの構成部品である造花形成用リボンにより形成された造花であって該造花の背面から突出する紐の一部を有する造花と、前記紐の一部に取り付けられる板片とを示す斜視図である。
【図３】造花の紐の一部に取り付けられた板片を示す斜視図である。
【図４】造花の紐の一部、板片及び該板片に取り付けられた輪ゴムを示す斜視図である。
【図５】造花の紐の一部と、板片と、輪ゴムと、前記紐の一部及び前記輪ゴムの一部を覆うように前記板片に接着された両面接着テープ片とを示す斜視図である。
【図６】造花形成用リボンの平面図である。
【図７】造花の形成途上にある造花形成用リボンを示す斜視図である。
【図８】造花をその正面から見た斜視図である。
【考案を実施するための形態】
【００１１】
図１を参照すると、本考案に係る一実施形態に係る包装セットが全体に符号１０で示されている。包装セット１０は、花束１２の結束部（花束１２を構成する複数の生花１２ａを束ねた部分）１４における包装に供される。包装のため、包装セット１０は、花束１２を構成する複数の生花の茎の束ねられた一部である結束部１４にこれを取り巻くように取り付けられている。これにより、花束１２は、その結束部１４において、包装セット１０により包装され、また、これにより装飾されている。なお、図示の例において、符号１５は、花束１２の周囲を覆う包装紙又は包装フィルムを示す。
【００１２】
図２〜図５に示すように、包装セット１０は、造花１６と、板片１８（図２、図３）と、輪ゴム２０（図４）と、両面接着テープ片２２（図５）とを含む。ここにおいて、造花１６は造花形成用リボン２４（図６）により形成されてなる。造花形成用リボン２４と、板片１８と、輪ゴム２０と、両面接着テープ片２２とは、包装セット１０を得るための包装キットの複数の部品をなす。
【００１３】
図６に示すように、前記包装キットの一部品を構成する造花形成用リボン２４は、一対の相対するストリップ２６と両ストリップ２６間に配置された少なくとも１つ（図示の例では一対）の紐２８とを有する。図示の例において、両ストリップ２６及び両紐２８は、それぞれ、互いに重ね合わされた比較的幅の広いリボン片及び互いに重ね合わされた比較的幅の狭いリボン片からなる。ストリップ２６および紐２８は、それぞれ、合成繊維製の織布からなる。図示の例では、超音波振動を用いる超音波溶着、高周波溶着、熱溶着等の溶着により、両ストリップ２６が相互に接合され、また、両ストリップ２６および両紐２８が相互に接合されている。ストリップ２６および紐２８は、前記合成樹脂製の織布に代えて、合成繊維製の不織布、プラスチックテープ、天然繊維製の織布、天然繊維製の不織布等からなるものとすることができる。また、ストリップ２６および紐２８についての前記接合は、前記溶着に代えて、また、ストリップ２６および紐２８の材質に応じて、例えば縫合、接着剤を用いた接着等により行うことが可能である。
【００１４】
両ストリップ２６と両紐２８とはこれらの一端部２６ａ、２８ａにおいて互いに接合されている（接合箇所を符号３０で示す。）。また、両ストリップ２６は、両紐２８の両側において、両ストリップ２６の長手方向へ互いに間隔をおかれた複数の線Ｌ１、Ｌ２、Ｌ３及びＬ４の各線上の少なくとも２箇所３２で互いに接合されている。
【００１５】
両ストリップ２６の一端部２６ａ及び両紐２８の一端部２８ａにおける接合箇所３０に隣接する線Ｌ１は、両ストリップ２６を真直ぐに横切っている。また、線Ｌ２、Ｌ３及びＬ４は両ストリップ２６を互い違いに斜めに横切っている。各線Ｌ１〜Ｌ４が両ストリップ２６を横切る角度はそれぞれ任意に定めることが可能である。設定角度の大きさに応じて、造花１６を構成する後記対をなす花弁３４相互、花弁３６相互、花弁３８相互および花弁４０相互のそれぞれの開き角度及び花弁３４〜４０相互の両紐２８の周りの相対位置が変わる。さらに、線Ｌ１〜Ｌ４の数も任意に定められ、前記線の数に応じて、前記花弁の数が変わる。
【００１６】
包装セット１０を構成する造花１６は、図７に示すように、造花形成用リボン２４の両ストリップ２６を両紐２８に対してこれらの長手方向へ相対移動させることにより、より詳細には、両紐２８に沿って両ストリップ２６の他端部２６ｂをこれらの一端部２６ａに向けて移動させることにより形成される。前記相対移動により、両ストリップ２６の一端部２６ａとこれに隣接する線Ｌ１との間の両ストリップ２６の一部分Ａ（図６）と、互いに隣接する２つの線（線Ｌ１及び線Ｌ２、線Ｌ２及び線Ｌ３、線Ｌ３及びＬ４）相互間の両ストリップ２６の３つの一部分Ｂ（図６）とがそれぞれループ状に変形し、両ストリップ２６の他端部２６ｂ間から両紐２８が突出する。両紐２８はこれを横切る線Ｃに沿ってその一部２８ｃ（図２）を残して切断する。前記ループ状に変形した両ストリップ２６の一部分Ａ及び３つの一部分Ｂは、それぞれ、造花１６を構成する四対の花弁３４、３６、３８及び４０をなす。
【００１７】
両ストリップ２６の一端部２６ａにおける接合箇所３０と、これに隣接する線Ｌ１との間の距離Ｓ１と、互いに隣接する前記２つの線Ｌ１及びＬ２、Ｌ２及びＬ３、Ｌ３及びＬ４相互の間の距離Ｓ２、Ｓ３、Ｓ４とは任意に定められる（図６）。図示の例では、距離Ｓ１、Ｓ２、Ｓ３、Ｓ４が、両ストリップ２６の一端部２６ａから他端部２６ｂに向けて漸増するように定められている。これにより、造花１６の花弁３４、３６、３８及び４０の大きさが両紐２８の一端部２８ａの側から他端部２８ｂの側に向けて漸増し、花芯に近接する花弁３４が最も小さい。
【００１８】
包装セット１０を構成する板片１８は、開放端４２ａを有するスリット４２（図２、図３）を備える。図示の板片１８は全体に矩形の平面形状を有する。板片１８の平面形状は前記矩形以外の他の多角形、円形、楕円形等とすることができる。また、板片１８は、好ましくは、造花１６の花弁３４〜４０の陰に隠れる大きさを有する。板片１８は、そのスリット４２に両紐２８の一部２８ｃを通すことにより、両紐２８の一部２８ｃに取り付けられている。板片１８のこの取り付けにより、造花１６の花弁３４〜４０を構成する両ストリップ２６の一部分Ａ、Ｂの弾性復元力に起因する両紐２８に対する相対移動が阻止され、各花弁３４〜４０の形状、すなわち造花１６の形状が維持される。板片１８は例えばプラスチック製のものからなる。
【００１９】
また、輪ゴム２０は、板片１８のスリット４２にその開放端４２ａから通され、板片１８の周囲を部分的に取り巻いている。両面接着テープ片２２は、その一方の粘着面において、両紐２８の一部２８ｃと輪ゴム２０の一部２０ａとを覆うように、板片１８に接着されている。これにより、板片１８と、両紐２８及び輪ゴム２０とが一体にされ、これらの間に相対移動が生じないようにされている。輪ゴム２０は、好ましくは、花束１２の結束部１４の直径より小さい直径を有する。輪ゴム２０の直径が結束部１４の直径より大きいときは、輪ゴム２０を二重にして使用することができる。また、両面接着テープ片２２は、図示の例においては円形の平面形状を有するが、前記円形以外の任意の平面形状を有するものとすることができる。
【００２０】
前記包装キットの複数の部品である造花形成用リボン２４、板片１８、輪ゴム２０及び両面接着テープ片２２を用いて得られた包装セット１０は、その輪ゴム２０を広げ、これに花束１２の結束部１４を通し、輪ゴム２０で結束部１４をその周囲から締め付けることにより、花束１２に取り付けることができる。また、両面接着テープ片２２をその他の一方の粘着面において花束１２の結束部１４に接着することができ、これにより、花束１２に対して包装セット１０が移動しないようにこれを所望の位置に固定することができる。両面接着テープ片２２は、好ましくは、その他の一方の粘着面を覆う剥離紙（図示せず）を有する。
【符号の説明】
【００２１】
１０  包装セット
１２  花束
１４  花束の結束部
１６  造花
１８  板片
２０  輪ゴム
２２  両面接着テープ片
２４  造花形成用リボン
２６  ストリップ
２８  紐
【図１】
0003208249.tif 000003
【図２】
0003208249.tif 000004
【図３】
0003208249.tif 000005
【図４】
0003208249.tif 000006
【図５】
0003208249.tif 000007
【図６】
0003208249.tif 000008
【図７】
0003208249.tif 000009
【図８】
0003208249.tif 000010